【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
製品リサイクルの処理業者の管理システムであって、
予め前記処理業者が受託するリサイクル処理品に関連付けされた管理番号を受信することによって前記リサイクル処理品の情報を把握する把握手段と、
前記リサイクル処理品の入荷、検品、解体、機械処理、出荷および出荷に伴う廃棄物についての管理を前記管理番号に関連付けして行なうことによって前記リサイクル処理品のリサイクル処理状況を把握する管理手段とを備えたことを特徴とする製品リサイクル管理システム。
【請求項２】
前記管理手段は、さらに、入力された、入荷リサイクル処理品に付けられている輸送番号も含む管理番号と前記把握手段で把握するための管理番号との関連性を比較することによって前記入荷リサイクル処理品が予定のリサイクル処理品であるかを確認し、該確認の結果予定のリサイクル処理品でない場合には前記管理番号に対してその旨の警告を表示することを特徴とする請求項１記載の製品リサイクル管理システム。
【請求項３】
前記管理手段は、さらに、前記把握手段で把握するための管理番号における入荷予定時期を監視して入荷予定時期を経過しても前記リサイクル処理品に付けられた輸送番号を含む管理番号が入力されない場合には、前記管理番号に対してその旨の警告を表示することを特徴とする請求項１記載の製品リサイクル管理システム。
【請求項４】
前記管理手段は、さらに、入力された、入荷実情のリサイクル処理品の内容が、前記把握手段で把握された予定のリサイクル処理品の内容と一致するか否か確認し、予定と実情とが異なっている場合には、前記把握手段で把握するための管理番号に対してその旨の警告を表示することを特徴とする請求項１記載の製品リサイクル管理システム。
【請求項５】
前記管理手段は、さらに、前記予定と前記実情とが異なっていることを、確認文章で前記リサイクル処理品の依頼者にネットワークを介して送信することを特徴とする請求項４記載の製品リサイクル管理システム。
【請求項６】
前記管理手段は、さらに、前記予定と前記実情とが異なっていることを、確認文章で前記リサイクル処理品の依頼者にネットワークを介して送信し、前記依頼者からの判断結果を返信文章でネットワークを介して受信することを特徴とする請求項４記載の製品リサイクル管理システム。
【請求項７】
前記把握手段において、前記把握するリサイクル処理品の情報として前記リサイクル処理品に対してリサイクル処理を実施するリサイクル処理受託内容を含み、
前記管理手段は、入荷リサイクル処理品に対してリサイクル処理を実施したリサイクル処理実績を入力して登録する登録手段を有し、前記把握手段により予め把握した前記リサイクル処理受託内容と前記登録手段によって登録されたリサイクル処理実績とを比較することによって、前記リサイクル処理を確実に実施したことを管理することを特徴とする請求項１記載の製品リサイクル管理システム。
【請求項８】
前記把握手段において、遅くともリサイクル処理品が入荷した時点で前記把握するリサイクル処理品の情報として前記リサイクル処理品に対してリサイクル処理を実施するリサイクル処理受託内容を含み、
前記管理手段は、入荷リサイクル処理品に対してリサイクル処理を実施したリサイクル処理実績を入力して登録する登録手段を有し、前記把握手段により予め把握した前記リサイクル処理受託内容と前記登録手段によって登録されたリサイクル処理実績とを比較することによって、前記リサイクル処理を確実に実施したことを管理することを特徴とする請求項１記載の製品リサイクル管理システム。
【請求項９】
前記管理手段は、あらかじめ排出者より提供されたリサイクル処理品の個体管理情報と、入力された、入荷リサイクル処理品の個体管理情報との一致を確認する確認手段を有し、該確認手段において一致することを確認した場合には入荷リサイクル処理品の個体に対するリサイクル処理の実施の指示を出力するように管理することを特徴とする請求項１記載の製品リサイクル管理システム。
【請求項１０】
前記管理手段は、入力された入荷リサイクル処理品の個体情報に基づいて個体毎の判断用データベースを用いて入荷リサイクル処理品の個体群について再使用可能であるか否かを判別し、該判別の結果再使用不可能な個体群に対して個体毎に前記管理番号に関連付けされた特定の認識番号を付けて出荷指示を出力し、出荷先から得られる個体毎のリサイクル処理の実施報告について前記特定の認識番号を基に入力することによって管理番号単位での出荷先での個体毎のリサイクル処理が確実に実施されたことを管理することを特徴とする請求項１記載の製品リサイクル管理システム。
【請求項１１】
前記管理手段は、入力された入荷リサイクル処理品の個体情報に基づいて個体毎の判断用データベースを用いて入荷リサイクル処理品の個体群について再使用可能であるか否かを判別し、該判別の結果再使用不可能な個体群に対して解体や機械処理のリサイクル処理を実施する際、該リサイクル処理単位毎に前記管理番号に関連付けされた仕分け番号を付けて解体や機械処理のリサイクル処理指示を出力し、前記解体や機械処理のリサイクル処理を実施した結果であるリサイクル処理状況について前記仕分け番号を基に入力することによって何れの管理番号に属するリサイクル処理品のリサイクル処理が実施されたかを管理することを特徴とする請求項１記載の製品リサイクル管理システム。
【請求項１２】
前記管理手段は、入力された入荷リサイクル処理品の個体情報に基づいて個体毎の判断用データベースを用いて入荷リサイクル処理品の個体群について再使用可能であるか否かを判別し、該判別の結果再使用不可能な個体群に対して解体や機械処理のリサイクル処理を実施する際、該リサイクル処理単位毎に前記管理番号に関連付けされた認識番号を付けて解体や機械処理のリサイクル処理指示又は出荷指示を出力し、解体や機械処理のリサイクル処理担当部門又は出荷先からのリサイクル処理実施の報告について前記認識番号を基に入力することによって何れの管理番号に属するリサイクル処理品のリサイクル処理が実施されたかを管理することを特徴とする請求項１記載の製品リサイクル管理システム。
【請求項１３】
前記管理手段は、入力された入荷リサイクル処理品の個体情報に基づいて個体毎の判断用データベースを用いて入荷リサイクル処理品の個体群について再使用可能であるか否かを判別し、該判別の結果再使用不可能な個体群に対して解体や機械処理のリサイクル処理を実施した後の構成品の単位で前記管理番号に関連付けされた特定の認識番号を付けた上で出荷指示を出力し、出荷先からのリサイクル処理実施の報告について前記特定の認識番号を基に入力することによって出荷先において何れの管理番号に属するリサイクル処理品のリサイクル処理が実施されたかを管理することを特徴とする請求項１記載の製品リサイクル管理システム。
【請求項１４】
前記管理手段は、定められた期間経過しても前記管理番号単位でのリサイクル処理品に対する適切なリサイクル処理が終了したことが入力されない場合注意や警告を表示することを特徴とする請求項１記載の製品リサイクル管理システム。
【請求項１５】
前記処理業者の管理システムと、前記リサイクル処理品を排出する排出者のシステムと、前記リサイクル処理品の製造事業者のシステムとの間をネットワークで接続したことを特徴とする請求項１記載の製品リサイクル管理システム。
【請求項１６】
製造事業者又は排出者のシステムが、リサイクル処理品についてのリサイクル処理の委託内容に、前記リサイクル処理品に関連付けされた管理番号を付してリサイクル処理を処理業者のシステムにネットワークを介して委託する委託ステップと、
前記管理番号の情報を付してリサイクル処理品を前記処理業者に輸送する輸送ステップと、
該輸送ステップによりリサイクル処理品が処理業者に入荷されたとき、該入荷されたリサイクル処理品に付された管理番号の情報および入荷されたリサイクル処理品の個体群についての検品情報を前記処理業者のシステムに入力する入荷および検品ステップと、
前記処理業者のシステムは、入力された入荷サイクル処理品の個体情報に基づいて個体毎の判断用データベースを用いて入荷リサイクル処理品の個体群について再使用、解体及び廃棄のリサイクル処理の内容について判断し、該判断されたリサイクル処理の内容についての指示を前記管理番号に関連付けされた少なくとも仕分け番号を付して出力する処理内容指示ステップと、
前記処理業者が前記処理内容指示ステップで出力されたリサイクル処理の内容の指示に従って再使用、解体及び廃棄のリサイクル処理を実施する処理ステップと、
前記処理業者が出荷先に出荷物品についてリサイクル処理を委託する際、処理業者のシステムから出荷指示を出荷毎に前記管理番号に関連付けされた認識番号を付けて行なう出荷指示ステップと、
前記出荷先が前記出荷物品に対するリサイクル処理が完了すると前記認識番号で処理報告を行なう出荷処理報告ステップと、
前記処理業者のシステムは、前記処理報告があった認識番号を基に管理番号単位でのリサイクル処理の完了を把握し、該把握された管理番号単位での処理報告を製造事業者又は排出者のシステムにネットワークを介して行なう処理完了報告ステップとを有することを特徴とする製品リサイクル管理方法。